(57)【要約】【課題】  オフセット印刷に用いる印刷版であって、オペレータの熟練された技能を必要とせず、誰にでも簡単に湿し水供給量の調整が可能なオフセット印刷版を提供する。【解決手段】  オフセット印刷版１には、線幅が１５〜２５μｍであり、印刷方向と直交する方向に延びる複数の画線が、１５〜２５μｍの間隔をあけて印刷方向に配列する第１カラーパッチ３が形成されている。そして、第１カラーパッチ３は、レーザー光線の最低焼付け光量を１００％としたとき、８０％以上の光量で焼付けられた第１領域３１と、５５〜７５％の光量で焼付けられた第２領域３２と、第２領域３２の焼付け光量よりも低い光量であり４０〜６０％の光量で焼付けられた第３領域３３とからなる少なくとも３つの領域を有する。【選択図】      図１
2010069804.tif 000002
【特許請求の範囲】
【請求項１】
版面にレーザー光線を直接照射して焼付け、現像することにより印刷物の画像に対応した画線部および非画線部が版面上に設けられるオフセット印刷版であって、
版面上の前記画線部および非画線部とは異なる所定の箇所に、線幅が１５〜２５μｍであり、印刷方向と直交する方向に延びる複数の画線が、１５〜２５μｍの間隔をあけて印刷方向に配列するカラーパッチが形成され、
前記カラーパッチは、現像後の版面に現像不良による残渣が発生しなくなるのに必要なレーザー光線の最低焼付け光量を１００％としたとき、８０％以上の光量で焼付けられた第１領域と、５５〜７５％の光量で焼付けられた第２領域と、第２領域の焼付け光量よりも低い光量であり４０〜６０％の光量で焼付けられた第３領域とからなる少なくとも３つの領域を有することを特徴とするオフセット印刷版。
【請求項２】
版面にレーザー光線を直接照射して焼付け、現像することにより印刷物の画像に対応した画線部および非画線部が版面上に設けられるオフセット印刷版であって、
版面上の前記画線部および非画線部とは異なる所定の箇所に、
線幅が１５〜２５μｍであり、印刷方向と直交する方向に延びる複数の画線が、１５〜２５μｍの間隔をあけて印刷方向に配列する第１カラーパッチと、
線幅が４０〜６０μｍであり、印刷方向と直交する方向に延びる複数の画線が、４０〜６０μｍの間隔をあけて印刷方向に配列する第２カラーパッチとが形成され、
前記第１カラーパッチおよび第２カラーパッチは、現像後の版面に現像不良による残渣が発生しなくなるのに必要なレーザー光線の最低焼付け光量を１００％としたとき、８０％以上の光量で焼付けられた第１領域と、５５〜７５％の光量で焼付けられた第２領域と、第２領域の焼付け光量よりも低い光量であり４０〜６０％の光量で焼付けられた第３領域とからなる少なくとも３つの領域を、それぞれ有することを特徴とするオフセット印刷版。
【請求項３】
請求項１記載のオフセット印刷版の版面に対してインキおよび湿し水を供給して、版面上に設けられた画線部に対応した画像とともに、前記カラーパッチに対応したカラーパッチ画像を被印刷体に印刷して印刷物を得て、印刷物のカラーパッチ画像における汚れ具合に基づいて印刷時の湿し水供給量を制御するオフセット印刷方法であって、
印刷物のカラーパッチ画像において、オフセット印刷版の版面上に形成される前記カラーパッチの前記第１領域および前記第２領域に対応するカラーパッチ画像部分に汚れが発生せず、かつ前記第３領域に対応するカラーパッチ画像部分に汚れが発生するように、印刷時の湿し水供給量を決定し、決定した供給量で湿し水を供給して印刷を行うことを特徴とするオフセット印刷方法。
【請求項４】
請求項２記載のオフセット印刷版の版面に対してインキおよび湿し水を供給して、版面上に設けられた画線部に対応した画像とともに、前記第１カラーパッチおよび第２カラーパッチに対応した第１カラーパッチ画像および第２カラーパッチ画像を被印刷体に印刷して印刷物を得て、印刷物の第１カラーパッチ画像および第２カラーパッチ画像における汚れ具合に基づいて印刷時の湿し水供給量を制御するオフセット印刷方法であって、
印刷物の第１カラーパッチ画像において、オフセット印刷版の版面上に形成される前記第１カラーパッチの前記第１領域および前記第２領域に対応する第１カラーパッチ画像部分に汚れが発生せず、かつ前記第３領域に対応するカラーパッチ画像部分に汚れが発生し、
さらに、印刷物の第２カラーパッチ画像において、オフセット印刷版の版面上に形成される前記第２カラーパッチの前記第１領域および前記第２領域に対応する第２カラーパッチ画像部分に汚れが発生せず、かつ前記第３領域に対応する第２カラーパッチ画像部分に汚れが発生する、または汚れが発生しないように、印刷時の湿し水供給量を決定し、決定した供給量で湿し水を供給して印刷を行うことを特徴とするオフセット印刷方法。
【発明の詳細な説明】
【技術分野】
【０００１】
本発明は、オフセット印刷版およびそれを用いたオフセット印刷方法に関する。より詳しくは、版面にレーザー光線を直接照射して焼付け、現像することにより印刷物の画像に対応した画線部および非画線部が設けられるオフセット印刷版であって、オフセット印刷時の湿し水調整用に用いるカラーパッチが版面に形成されたオフセット印刷版に関し、該オフセット印刷版を用いて湿し水供給量を制御しながら印刷するオフセット印刷方法に関する。
【背景技術】
【０００２】
オフセット印刷とは、印刷版の画線部に付けられたインキを、一度ゴムブランケットなどの中間転写体に転写した後、紙などの被印刷体に印刷する方式である。このオフセット印刷方式で用いられる印刷版としては、ＰＳ（Pre-Sensitized）版などの平版印刷版が多用されている。
【０００３】
また、近年、コンピュータを利用した製版技術の進歩に伴い、製版用フィルムを介さずに、コンピュータで作成した製版のデータに応じてレーザー光線を直接版面に照射して焼付け、現像することにより、版面に画線部および非画線部を形成するコンピュータ・トゥ・プレート（ＣＴＰ）版も使用されるようになってきている。
【０００４】
オフセット印刷方式で用いられるインキは粘性の油性インキであり、印刷版の版面上に対するインキの転移をコントロールするには、一般に湿し水と油性インキの反発を利用して行われる。印刷版の版面上においてインキが転移する画線部は、油分の受理性が高くて水分をはじく、親油性で撥水性の表面を有し、逆にインキが転移しない非画線部は、水分の受理性が高くて油分をはじく、親水性で撥油性の表面を有する。
【０００５】
オフセット印刷の印刷工程において、印刷版の表面に湿し水が供給されると、撥水性の画線部は湿し水をはじき、一方、親水性の非画線部は親和力によって湿し水で覆われた状態となる。そして、印刷版の表面にインキがインキ着けロールから供給されると、画線部ではインキが付着し、一方、非画線部では水膜でインキがはじかれて付着しなくなる。
【０００６】
ここで、印刷版の表面に対する湿し水の供給量が過少の場合には、非画線部が完全に湿し水で覆われなくなるため、露出した非画線部にもインキが転移して印刷物の汚損の原因となる。逆に、印刷版の表面に対する湿し水の供給量が過多の場合には、インキ中に湿し水が過剰に混入した過剰乳化状態となり、インキと湿し水との反発力が低下するため、やはり非画線部へのインキの転移や網点の太りが発生し、きれいな印刷物が得られなくなる。
【０００７】
また、印刷版の表面に対する湿し水供給量が過少の状態で印刷を続けた場合、パイリング（ブランケット上にインキが堆積する現象）が発生するので、ブランケット洗浄が必要となり、印刷物を得る生産性が低下するという問題が生じる。
【０００８】
したがって、平版印刷版を用いたオフセット印刷方式では、印刷版に対する湿し水の供給量が印刷物の品質および印刷物の生産性を決定するといっても過言ではないが、オフセット構成要件（印刷版表面の画線部の面積、インキの供給量、被印刷体の湿し水吸収性、印刷速度、印刷温度・湿度など）に応じて、湿し水の最適供給量が変化するため、湿し水の過不足の判断は印刷の最中に行なわなければならない。
【０００９】
この印刷中の湿し水の供給量の過不足を調整するには、印刷版の版面の光沢の度合い、印刷物の紙面の汚れ、印刷物の濃度の出具合などの印刷物の仕上がり状態から総合的に判定するしかなく、その調整にはオペレータの熟練された技能と長い作業時間が必要とされてきた。
【００１０】
そこで、最近では、湿し水の濃度により濃度が変化する検出パッチを印刷物の画像とともに印刷し、この検出パッチの濃度を計測しながら湿し水の供給量の制御を自動的に行う湿し水制御方法が提案されている（たとえば、特許文献１、特許文献２参照）。このような湿し水供給量の自動制御によって、印刷中における湿し水の供給量の数値化管理が可能となる。
【００１１】
【特許文献１】特開２００２−３５５９５０号公報
【特許文献２】特開２００６−２０５４３７号公報
【発明の開示】
【発明が解決しようとする課題】
【００１２】
しかしながら、特許文献１，２に開示されるような、湿し水供給量の自動制御を実現する機構は、比較的新しいオフセット印刷機では装備されているものの、まだまだ装備されていない印刷機も数多く稼動しており、湿し水供給量の自動制御機構を装備していない印刷機においては、印刷中の湿し水供給量の調整は、オペレータの熟練された技能に頼らざるを得ない。
【００１３】
したがって本発明の目的は、ＣＴＰ版を用いたオフセット印刷において、オペレータの熟練された技能を必要とせず、誰にでも簡単に湿し水供給量の調整が可能なオフセット印刷版、および該オフセット印刷版を用いて適正な湿し水の供給量で印刷するオフセット印刷方法を提供することである。
【課題を解決するための手段】
【００１４】
本発明は、版面にレーザー光線を直接照射して焼付け、現像することにより印刷物の画像に対応した画線部および非画線部が版面上に設けられるオフセット印刷版であって、
版面上の前記画線部および非画線部とは異なる所定の箇所に、線幅が１５〜２５μｍであり、印刷方向と直交する方向に延びる複数の画線が、１５〜２５μｍの間隔をあけて印刷方向に配列するカラーパッチが形成され、
前記カラーパッチは、現像後の版面に現像不良による残渣が発生しなくなるのに必要なレーザー光線の最低焼付け光量を１００％としたとき、８０％以上の光量で焼付けられた第１領域と、５５〜７５％の光量で焼付けられた第２領域と、第２領域の焼付け光量よりも低い光量であり４０〜６０％の光量で焼付けられた第３領域とからなる少なくとも３つの領域を有することを特徴とするオフセット印刷版である。
【００１５】
また本発明は、版面にレーザー光線を直接照射して焼付け、現像することにより印刷物の画像に対応した画線部および非画線部が版面上に設けられるオフセット印刷版であって、
版面上の前記画線部および非画線部とは異なる所定の箇所に、
線幅が１５〜２５μｍであり、印刷方向と直交する方向に延びる複数の画線が、１５〜２５μｍの間隔をあけて印刷方向に配列する第１カラーパッチと、
線幅が４０〜６０μｍであり、印刷方向と直交する方向に延びる複数の画線が、４０〜６０μｍの間隔をあけて印刷方向に配列する第２カラーパッチとが形成され、
前記第１カラーパッチおよび第２カラーパッチは、現像後の版面に現像不良による残渣が発生しなくなるのに必要なレーザー光線の最低焼付け光量を１００％としたとき、８０％以上の光量で焼付けられた第１領域と、５５〜７５％の光量で焼付けられた第２領域と、第２領域の焼付け光量よりも低い光量であり４０〜６０％の光量で焼付けられた第３領域とからなる少なくとも３つの領域を、それぞれ有することを特徴とするオフセット印刷版である。
【００１６】
また本発明は、前記オフセット印刷版の版面に対してインキおよび湿し水を供給して、版面上に設けられた画線部に対応した画像とともに、前記カラーパッチに対応したカラーパッチ画像を被印刷体に印刷して印刷物を得て、印刷物のカラーパッチ画像における汚れ具合に基づいて印刷時の湿し水供給量を制御するオフセット印刷方法であって、
印刷物のカラーパッチ画像において、オフセット印刷版の版面上に形成される前記カラーパッチの前記第１領域および前記第２領域に対応するカラーパッチ画像部分に汚れが発生せず、かつ前記第３領域に対応するカラーパッチ画像部分に汚れが発生するように、印刷時の湿し水供給量を決定し、決定した供給量で湿し水を供給して印刷を行うことを特徴とするオフセット印刷方法である。
【００１７】
また本発明は、前記オフセット印刷版の版面に対してインキおよび湿し水を供給して、版面上に設けられた画線部に対応した画像とともに、前記第１カラーパッチおよび第２カラーパッチに対応した第１カラーパッチ画像および第２カラーパッチ画像を被印刷体に印刷して印刷物を得て、印刷物の第１カラーパッチ画像および第２カラーパッチ画像における汚れ具合に基づいて印刷時の湿し水供給量を制御するオフセット印刷方法であって、
印刷物の第１カラーパッチ画像において、オフセット印刷版の版面上に形成される前記第１カラーパッチの前記第１領域および前記第２領域に対応する第１カラーパッチ画像部分に汚れが発生せず、かつ前記第３領域に対応するカラーパッチ画像部分に汚れが発生し、
さらに、印刷物の第２カラーパッチ画像において、オフセット印刷版の版面上に形成される前記第２カラーパッチの前記第１領域および前記第２領域に対応する第２カラーパッチ画像部分に汚れが発生せず、かつ前記第３領域に対応する第２カラーパッチ画像部分に汚れが発生する、または汚れが発生しないように、印刷時の湿し水供給量を決定し、決定した供給量で湿し水を供給して印刷を行うことを特徴とするオフセット印刷方法である。
【発明の効果】
【００１８】
本発明者らは、検討を重ねた結果、印刷物の画像に対応した画線部および非画線部が版面上に設けられるオフセット印刷版であって、版面上の画線部および非画線部とは異なる所定の箇所に、特定の線幅からなる画線によって構成され、所定の光量で焼付けられた複数の領域からなるカラーパッチが形成されたオフセット印刷版を開発した。そして、オフセット印刷版の版面に対してインキおよび湿し水を供給して、版面上に設けられた画線部に対応した画像とともに、前記カラーパッチに対応したカラーパッチ画像を被印刷体に印刷して印刷物を得て、印刷物のカラーパッチ画像における汚れ具合に基づいて、印刷時の湿し水供給量を制御することによって、オペレータの熟練された技能を必要とせず、誰にでも簡単に適正な湿し水供給量の調整が可能なオフセット印刷方法を開発した。
【００１９】
すなわち、本発明によれば、オフセット印刷版は、版面上の画線部および非画線部とは異なる所定の箇所に、線幅が１５〜２５μｍであり、印刷方向と直交する方向に延びる複数の画線が、１５〜２５μｍの間隔をあけて印刷方向に配列するカラーパッチが形成されている。そして、カラーパッチは、現像後の版面に現像不良による残渣が発生しなくなるのに必要なレーザー光線の最低焼付け光量を１００％としたとき、８０％以上の光量で焼付けられた第１領域と、５５〜７５％の光量で焼付けられた第２領域と、第２領域の焼付け光量よりも低い光量であり４０〜６０％の光量で焼付けられた第３領域とからなる少なくとも３つの領域を有する。
【００２０】
このようなオフセット印刷版は、版面上のカラーパッチに対応した印刷物のカラーパッチ画像における汚れ具合に基づいて印刷時の適正な湿し水供給量を制御することが可能な印刷版であり、オペレータの熟練された技能を必要とせず、誰にでも簡単に適正な湿し水供給量の調整が可能なオフセット印刷版となる。このようなオフセット印刷版を用いて印刷することによって、画像に汚れが発生するのが抑制されて良好な品質の画像を有する印刷物を、優れた印刷生産性で、簡単に得ることができる。
【００２１】
また本発明によれば、オフセット印刷版は、版面上の画線部および非画線部とは異なる所定の箇所に、第１カラーパッチおよび第２カラーパッチが形成されている。第１カラーパッチは、線幅が１５〜２５μｍであり、印刷方向と直交する方向に延びる複数の画線が、１５〜２５μｍの間隔をあけて印刷方向に配列するものである。そして、第２カラーパッチは、線幅が４０〜６０μｍであり、印刷方向と直交する方向に延びる複数の画線が、４０〜６０μｍの間隔をあけて印刷方向に配列するものである。そして、第１カラーパッチおよび第２カラーパッチは、現像後の版面に現像不良による残渣が発生しなくなるのに必要なレーザー光線の最低焼付け光量を１００％としたとき、８０％以上の光量で焼付けられた第１領域と、５５〜７５％の光量で焼付けられた第２領域と、第２領域の焼付け光量よりも低い光量であり４０〜６０％の光量で焼付けられた第３領域とからなる少なくとも３つの領域を、それぞれ有する。
【００２２】
このようなオフセット印刷版は、版面上の第１および第２カラーパッチに対応した印刷物の第１および第２カラーパッチ画像における汚れ具合に基づいて印刷時の適正な湿し水供給量を制御することが可能な印刷版であり、オペレータの熟練された技能を必要とせず、誰にでも簡単に適正な湿し水供給量の調整が可能なオフセット印刷版となる。
【００２３】
また本発明によれば、前記本発明のオフセット印刷版の版面に対してインキおよび湿し水を供給して、版面上に設けられた画線部に対応した画像とともに、カラーパッチに対応したカラーパッチ画像を被印刷体に印刷して印刷物を得て、印刷物のカラーパッチ画像における汚れ具合に基づいて印刷時の湿し水供給量を制御するオフセット印刷方法である。そして、印刷物のカラーパッチ画像において、オフセット印刷版の版面上に形成されるカラーパッチの第１領域および第２領域に対応するカラーパッチ画像部分に汚れが発生せず、かつ第３領域に対応するカラーパッチ画像部分に汚れが発生するように、印刷時の湿し水供給量を決定する。そして、決定した供給量で湿し水を供給して印刷を行うことによって、オペレータの熟練された技能を必要とせず、誰にでも簡単に適正な湿し水供給量の調整を行うことができる。したがって、画像に汚れが発生するのが抑制されて良好な品質の画像を有する印刷物を、優れた印刷生産性で、簡単に得ることができる。
【００２４】
また本発明によれば、前記本発明のオフセット印刷版の版面に対してインキおよび湿し水を供給して、版面上に設けられた画線部に対応した画像とともに、第１カラーパッチおよび第２カラーパッチに対応した第１カラーパッチ画像および第２カラーパッチ画像を被印刷体に印刷して印刷物を得て、印刷物の第１カラーパッチ画像および第２カラーパッチ画像における汚れ具合に基づいて印刷時の湿し水供給量を制御するオフセット印刷方法である。そして、印刷物の第１カラーパッチ画像において、オフセット印刷版の版面上に形成される第１カラーパッチの第１領域および第２領域に対応する第１カラーパッチ画像部分に汚れが発生せず、かつ第３領域に対応するカラーパッチ画像部分に汚れが発生し、さらに、印刷物の第２カラーパッチ画像において、オフセット印刷版の版面上に形成される第２カラーパッチの第１領域および第２領域に対応する第２カラーパッチ画像部分に汚れが発生せず、かつ第３領域に対応する第２カラーパッチ画像部分に汚れが発生する、または汚れが発生しないように、印刷時の湿し水供給量を決定する。そして、決定した供給量で湿し水を供給して印刷を行うことによって、オペレータの熟練された技能を必要とせず、誰にでも簡単に適正な湿し水供給量の調整を行うことができる。
【発明を実施するための最良の形態】
【００２５】
以下、本発明について詳細に説明する。まず、本発明のオフセット印刷版について説明する。図１は、本発明の第１実施形態であるオフセット印刷版１の構成を示す図である。オフセット印刷版１は、製版用フィルムを介さずに、コンピュータからの画像信号に応じてレーザー光線を直接版面に照射（露光）して焼付け、現像することにより印刷物の画像に対応した画線部２１および非画線部２２からなる画像部２が版面上に設けられる、いわゆるコンピュータ・トゥ・プレート（ＣＴＰ）版である。
【００２６】
ここで、オフセット印刷版１においては、画線部２１と非画線部２２とが同一平面（版面）上に形成される。そして、画線部２１は親油性（疎水性）であり、油性である印刷用インキに対して受理性が高く、水に対して受容性がないように処理されている。一方、非画線部２２は親水性（疎油性）であり、水に対して受理性が高く、印刷用インキに対して受容性がないように処理されている。このような処理が施されたオフセット印刷版１を用いたオフセット印刷においては、まずオフセット印刷版１の版面上に湿し水を供給し、親水性の非画線部２２に均一で薄い水の膜を形成させることが必要である。この水膜で覆われている部分は、印刷用インキの転移を阻害するため、結果として印刷用インキを親油性の画線部２１のみに転移させ、このオフセット印刷版１の版面上に形成されたインキ画像は、ブランケット、次いで被印刷体に転移して印刷物が得られる。
【００２７】
また、オフセット印刷版１の版面にレーザー光線を照射する露光装置としては、コンピュータからの画像信号に応じてレーザー光線を照射して、オフセット印刷版１の版面に画像を形成可能な装置であれば特に限定されない。露光装置としては、たとえば、赤外領域と近赤外領域との少なくともいずれか一方の領域で発光する、すなわち７００〜１５００ｎｍの波長範囲で発光するレーザーを使用した走査型露光装置が利用できる。レーザーとしては、ガスレーザーを用いてもよいが、近赤外領域で発光する半導体レーザーを用いるのが好ましい。
【００２８】
走査型露光装置の走査露光方式としては、たとえば、（ａ）平板状保持機構に保持された印刷版に１本もしくは複数本のレーザービームを用いて２次元的な走査を行って印刷版の版面全面を露光する方式、（ｂ）固定された円筒状の保持機構の内側に円筒面に沿って保持された印刷版に、円筒内部から１本もしくは複数本のレーザービームを用いて円筒の周方向（主走査方向）に走査しつつ、周方向に直角な方向（副走査方向）に移動させて印刷版の版面全面を露光する方式、（ｃ）軸線まわり回転可能な円筒状ドラム表面に保持された印刷版に、円筒状ドラム外部から１本もしくは複数本のレーザービームを用いてドラムの回転によって周方向（主走査方向）に走査しつつ、周方向に直角な方向（副走査方向）に移動させて印刷版の版面全面を露光する方式、などが挙げられる。
【００２９】
また、露光装置を用いて露光した後、現像処理する現像液としては、アルカリ水溶液、有機溶剤含有溶液などを用いることができる。
【００３０】
アルカリ水溶液のアルカリ剤としては、たとえば、ケイ酸ナトリウム、ケイ酸カリウム、ケイ酸アンモニウム、第二燐酸ナトリウム、第二燐酸カリウム、第二燐酸アンモニウム、重炭酸ナトリウム、重炭酸カリウム、重炭酸アンモニウム、炭酸ナトリウム、炭酸カリウム、炭酸アンモニウム、炭酸水素ナトリウム、炭酸水素カリウム、炭酸水素アンモニウム、ホウ酸ナトリウム、ホウ酸カリウム、ホウ酸アンモニウム、水酸化ナトリウム、水酸化カリウム、水酸化アンモニウム、水酸化リチウムなどの無機アルカリ剤、モノメチルアミン、ジメチルアミン、トリメチルアミン、モノエチルアミン、ジエチルアミン、トリエチルアミン、モノ−ｉ−プロピルアミン、ジ−ｉ−プロピルアミン、トリ−ｉ−プロピルアミン、ブチルアミン、モノエタノールアミン、ジエタノールアミン、トリエタノールアミン、モノ−ｉ−プロパノールアミン、ジ−ｉ−プロパノールアミン、エチレンイミン、エチレンジアミン、ピリジンなどの有機アルカリ剤などを使用できる。
【００３１】
有機溶剤含有溶液の有機溶剤としては、水に対する溶解度が約１０質量％以下のもの、好ましくは５質量％以下のものが好ましく、たとえば、１−フェニルエタノール、２−フェニルエタノール、３−フェニル−１−プロパノール、４−フェニル−１−ブタノール、４−フェニル−２−ブタノール、２−フェニル−１−ブタノール、２−フェノキシエタノール、２−ベンジルオキシエタノール、ｏ−メトキシベンジルアルコール、ｍ−メトキシベンジルアルコール、ｐ−メトキシベンジルアルコール、ベンジルアルコール、シクロヘキサノール、２−メチルシクロヘキサノール、３−メチルシクロヘキサノールおよび４−メチルシクロヘキサノール、Ｎ−フェニルエタノールアミンおよびＮ−フェニルジエタノールアミンなどを使用できる。
【００３２】
上記アルカリ水溶液、上記有機溶剤含有溶液などの現像液中には、必要に応じアニオン系、カチオン系、ノニオン系および両性などの界面活性剤、ｐＨ緩衝剤、還元剤、有機カルボン酸、現像安定剤を含有することもできる。また、露光後のオフセット印刷版１を現像する現像処理は、この分野で常用される自動現像機を用いて行うことができる。
【００３３】
本発明のオフセット印刷版１の版面上には、印刷物の画像に対応した画像部２とは異なる箇所であり、印刷方向Ａと直交する方向の両端部の一方または両方に、第１カラーパッチ３が形成されている。本実施の形態では、第１カラーパッチ３は、版面上における印刷方向Ａと直交する方向の両端部の両方であり、版面上における印刷方向Ａの中央部に形成されている。
【００３４】
第１カラーパッチ３は、線幅が１５〜２５μｍであり、印刷方向Ａと直交する方向に延びる複数の画線が、１５〜２５μｍの間隔をあけて印刷方向Ａに配列するものである。この第１カラーパッチ３は、各画線に対応した画像信号に応じてレーザー光線を照射して版面に焼付け、現像することにより形成することができる。そして、第１カラーパッチ３は、現像後の版面に現像不良による残渣が発生しなくなるのに必要なレーザー光線の最低焼付け光量を１００％としたとき、８０％以上の光量で焼付けられた第１カラーパッチ第１領域３１と、５５〜７５％の光量で焼付けられた第１カラーパッチ第２領域３２と、第１カラーパッチ第２領域３２の焼付け光量よりも低い光量であり４０〜６０％の光量で焼付けられた第１カラーパッチ第３領域３３とからなる３つの領域を有し、これら３つの領域が印刷方向Ａと直交する方向に並んで配置されている。ここで、第１カラーパッチ第３領域３３の焼付け光量は、具体的には、最低焼付け光量の１０〜２０％分だけ、第１カラーパッチ第２領域３２の焼付け光量よりも低い光量である。本実施の形態では、第１カラーパッチ第１領域３１の焼付け光量は１００％であり、第１カラーパッチ第２領域３２の焼付け光量は６５％であり、第１カラーパッチ第３領域３３の焼付け光量は５０％である。
【００３５】
このとき、第１カラーパッチ３における３つの領域の配置順序は特に限定されるものではない。本実施の形態では、オフセット印刷版１の版面において、印刷方向Ａの下流側から見て右側端部に形成される第１カラーパッチ３が有する３つの領域は、版面の端部から中央部に向かって、第１カラーパッチ第１領域３１、第１カラーパッチ第２領域３２、第１カラーパッチ第３領域３３の順に並んでいる。また、オフセット印刷版１の版面において、印刷方向Ａの下流側から見て左側端部に形成される第１カラーパッチ３が有する３つの領域は、版面の中央部から端部に向かって、第１カラーパッチ第１領域３１、第１カラーパッチ第２領域３２、第１カラーパッチ第３領域３３の順に並んでいる。
【００３６】
また、第１カラーパッチ３が有する３つの領域のそれぞれの寸法は、版面上の第１カラーパッチ３に対応した印刷物のカラーパッチ画像における印刷汚れ具合が観察できる程度に設定されていればよい。本実施の形態では、第１カラーパッチ第１領域３１、第１カラーパッチ第２領域３２および第１カラーパッチ第３領域３３のそれぞれにおける、印刷方向Ａと直交する方向の寸法Ｂは２０ｍｍ、印刷方向Ａの寸法Ｃは１０ｍｍに設定されている。なお、本実施の形態では、オフセット印刷版１の寸法は、印刷方向Ａと直交する方向の寸法Ｄが７３０ｍｍ、印刷方向Ａの寸法Ｅが６００ｍｍであり、印刷物の画像に対応した画像部２の寸法は、印刷方向Ａと直交する方向の寸法Ｆが６３６ｍｍ、印刷方向Ａの寸法Ｇが４６９ｍｍである。また、オフセット印刷版１を印刷機の胴部に保持させる部分の端部であるくわえ端から、オフセット印刷版１の表面における印刷用紙に対応する部分の端部である用紙端までの寸法は、３５ｍｍである。
【００３７】
以上のようなオフセット印刷版１は、版面上の第１カラーパッチ３に対応した印刷物のカラーパッチ画像における印刷汚れ具合に基づいて、印刷時の適正な湿し水供給量を制御することが可能な印刷版であり、オペレータの熟練された技能を必要とせず、誰にでも簡単に適正な湿し水供給量の調整が可能な印刷版となる。このようなオフセット印刷版１を用いて印刷することによって、画像に汚れが発生するのが抑制されて良好な品質の画像を有する印刷物を、優れた印刷生産性で、簡単に得ることができる。
【００３８】
また、オフセット印刷版１の版面上の第１カラーパッチ３において、第１カラーパッチ第１領域３１と第１カラーパッチ第２領域３２との間にベタ部３４、第１カラーパッチ第２領域３２と第１カラーパッチ第３領域３３との間にベタ部３５を設けるのが好ましい。ベタ部３４，３５は、ベタ画像を焼付けて形成する。これによって、第１カラーパッチ３に対応した印刷物のカラーパッチ画像における印刷汚れ具合が判別しやすくなる。
【００３９】
次に、オフセット印刷版１を用いて適正な湿し水供給量で印刷する、本発明のオフセット印刷方法について説明する。本発明のオフセット印刷方法は、本発明のオフセット印刷版１の版面に対して湿し水および印刷用インキを供給して、版面上に設けられた画像部２の画線部２１に対応した画像とともに、第１カラーパッチ３の画線に対応したカラーパッチ画像を被印刷体に印刷して印刷物を得て、印刷物のカラーパッチ画像における汚れ具合に基づいて、印刷時の湿し水供給量を制御するオフセット印刷方法である。
【００４０】
オフセット印刷版１を用いたオフセット印刷においては、前述したように、まずオフセット印刷版１の版面上に湿し水を供給し、版面上の親水性の非画線部２２に均一で薄い水の膜を形成させることが必要である。この水膜で覆われている部分は、油性である印刷用インキの転移を阻害する。そのため、結果として印刷用インキが、版面上の親油性部分である、画線部２１よび第１カラーパッチ３の画線に転移されて、インキ画像が形成される。このオフセット印刷版１の版面上に形成されたインキ画像は、ブランケット、次いで被印刷体に転移して印刷物が得られる。ここで、オフセット印刷時に使用される湿し水および印刷用インキは、特に制限されず、この分野で常用される湿し水および印刷用インキを使用できる。
【００４１】
本発明のオフセット印刷方法における湿し水供給量の制御は、次のようにして行う。湿し水供給量と、第１カラーパッチ３の３つの領域の汚れには相関があり、３つの領域に対応したカラーパッチ画像の汚れを見るだけで、湿し水の供給量が適量であるかどうか判断できる。
【００４２】
具体的には、湿し水の供給量が適量の場合には、印刷物のカラーパッチ画像において、オフセット印刷版１の版面上に形成される第１カラーパッチ第１領域３１および第１カラーパッチ第２領域３２に対応するカラーパッチ画像部分に汚れが発生せず、かつ第１カラーパッチ第３領域３３に対応するカラーパッチ画像部分に汚れが発生する。
【００４３】
湿し水の供給量が不足している場合には、第１カラーパッチ第１領域３１または第１カラーパッチ第２領域３２に対応するカラーパッチ画像部分にも汚れが発生する。
【００４４】
湿し水の供給量が過剰の場合には、第１カラーパッチ第１領域３１、第１カラーパッチ第２領域３２および第１カラーパッチ第３領域３３の全ての領域に対応するカラーパッチ画像部分に汚れが発生しない。
【００４５】
したがって、本発明のオフセット印刷方法では、印刷物のカラーパッチ画像において、オフセット印刷版１の版面上に形成される第１カラーパッチ第１領域３１および第１カラーパッチ第２領域３２に対応するカラーパッチ画像部分に汚れが発生せず、かつ第１カラーパッチ第３領域３３に対応するカラーパッチ画像部分に汚れが発生するように、印刷時の湿し水供給量を決定する。
【００４６】
そして、本発明のオフセット印刷方法では、前述のようにして決定した供給量で湿し水を供給して、印刷を行う。
【００４７】
以上のようにして、印刷時の湿し水供給量を決定するので、オペレータの熟練された技能を必要とせず、誰にでも簡単に適正な湿し水供給量の調整を行うことができる。したがって、画像に汚れが発生するのが抑制されて良好な品質の画像を有する印刷物を、優れた印刷生産性で、簡単に得ることができる。
【００４８】
図２は、本発明の第２実施形態であるオフセット印刷版１００の構成を示す図である。オフセット印刷版１００は、前述したオフセット印刷版１と類似しており、第１カラーパッチ３の代わりに第１カラーパッチ３００および第２カラーパッチ３１０が版面に形成されていること以外は、オフセット印刷版１と同様に構成されている。
【００４９】
オフセット印刷版１００の版面に形成される第１カラーパッチ３００は、オフセット印刷版１の版面に形成される第１カラーパッチ３と同様に構成されており、具体的には、線幅が１５〜２５μｍであり、印刷方向Ａと直交する方向に延びる複数の画線が、１５〜２５μｍの間隔をあけて印刷方向Ａに配列するものである。そして、第１カラーパッチ３００は、現像後の版面に現像不良による残渣が発生しなくなるのに必要なレーザー光線の最低焼付け光量を１００％としたとき、８０％以上の光量で焼付けられた第１カラーパッチ第１領域３０１と、５５〜７５％の光量で焼付けられた第１カラーパッチ第２領域３０２と、第１カラーパッチ第２領域３０２の焼付け光量よりも低い光量であり４０〜６０％の光量で焼付けられた第１カラーパッチ第３領域３０３とからなる３つの領域を有し、これら３つの領域が印刷方向Ａと直交する方向に並んで配置されている。ここで、第１カラーパッチ第３領域３０３の焼付け光量は、具体的には、最低焼付け光量の１０〜２０％分だけ、第１カラーパッチ第２領域３０２の焼付け光量よりも低い光量である。本実施の形態では、第１カラーパッチ第１領域３０１の焼付け光量は１００％であり、第１カラーパッチ第２領域３０２の焼付け光量は６５％であり、第１カラーパッチ第３領域３０３の焼付け光量は５０％である。また、オフセット印刷版１００の版面上の第１カラーパッチ３００において、第１カラーパッチ第１領域３０１と第１カラーパッチ第２領域３０２との間にベタ部３０４、第１カラーパッチ第２領域３０２と第１カラーパッチ第３領域３０３との間にベタ部３０５が設けられている。
【００５０】
そして、オフセット印刷版１００の版面において、第１カラーパッチ３００に隣接して印刷方向Ａの下流側に、第２カラーパッチ３１０が設けられている。第２カラーパッチ３１０は、第１カラーパッチ３００と類似しているが、画線の線幅が異なる。具体的には、第２カラーパッチ３１０は、線幅が４０〜６０μｍであり、印刷方向Ａと直交する方向に延びる複数の画線が、４０〜６０μｍの間隔をあけて印刷方向Ａに配列するものである。そして、第２カラーパッチ３１０は、現像後の版面に現像不良による残渣が発生しなくなるのに必要なレーザー光線の最低焼付け光量を１００％としたとき、８０％以上の光量で焼付けられた第２カラーパッチ第１領域３１１と、５５〜７５％の光量で焼付けられた第２カラーパッチ第２領域３１２と、第２カラーパッチ第２領域３１２の焼付け光量よりも低い光量であり４０〜６０％の光量で焼付けられた第２カラーパッチ第３領域３１３とからなる３つの領域を有し、これら３つの領域が印刷方向Ａと直交する方向に並んで配置されている。ここで、第２カラーパッチ第３領域３１３の焼付け光量は、具体的には、最低焼付け光量の１０〜２０％分だけ、第２カラーパッチ第２領域３１２の焼付け光量よりも低い光量である。本実施の形態では、第２カラーパッチ第１領域３１１の焼付け光量は１００％であり、第２カラーパッチ第２領域３１２の焼付け光量は６５％であり、第２カラーパッチ第３領域３１３の焼付け光量は５０％である。また、オフセット印刷版１００の版面上の第２カラーパッチ３１０において、第２カラーパッチ第１領域３１１と第２カラーパッチ第２領域３１２との間にベタ部３１４、第２カラーパッチ第２領域３１２と第２カラーパッチ第３領域３１３との間にベタ部３１５が設けられている。
【００５１】
次に、オフセット印刷版１００を用いて適正な湿し水供給量で印刷する、本発明のオフセット印刷方法について、図３Ａ〜３Ｃを参照しながら説明する。図３Ａ〜３Ｃは、本発明の第２実施形態であるオフセット印刷版１００を用いて、適正な湿し水供給量で印刷するオフセット印刷方法について説明する図である。
【００５２】
オフセット印刷版１００を用いたオフセット印刷方法は、オフセット印刷版１００の版面に対して湿し水および印刷用インキを供給して、版面上に設けられた画像部２００の画線部２１０に対応した画像とともに、第１カラーパッチ３００の画線に対応した第１カラーパッチ画像３００ａ、第２カラーパッチ３１０の画線に対応した第２カラーパッチ画像３１０ａを被印刷体に印刷して印刷物を得て、印刷物の第１カラーパッチ画像３００ａおよび第２カラーパッチ画像３１０ａにおける汚れ具合に基づいて、印刷時の湿し水供給量を制御するオフセット印刷方法である。
【００５３】
オフセット印刷版１００を用いたオフセット印刷方法における湿し水供給量の制御は、次のようにして行う。湿し水供給量と、カラーパッチ画像の汚れとは相関があり、カラーパッチ画像の汚れを見るだけで、湿し水の供給量が適量であるかどうか判断できる。
【００５４】
具体的には、湿し水の供給量が適量の場合には、図３Ａ−（ａ）に示すように、印刷物の第１カラーパッチ画像３００ａにおいて、オフセット印刷版１００の版面上に形成される第１カラーパッチ第１領域３０１に対応する第１カラーパッチ第１領域画像３０１ａ、および版面上に形成される第１カラーパッチ第２領域３０２に対応する第１カラーパッチ第２領域画像３０２ａに汚れが発生せず、かつ版面上に形成される第１カラーパッチ第３領域３０３に対応する第１カラーパッチ第３領域画像３０３ａに汚れが発生し、さらに、印刷物の第２カラーパッチ画像３１０ａにおいて、版面上に形成される第２カラーパッチ第１領域３１１に対応する第２カラーパッチ第１領域画像３１１ａ、版面上に形成される第２カラーパッチ第２領域３１２に対応する第２カラーパッチ第２領域画像３１２ａ、および版面上に形成される第２カラーパッチ第３領域３１３に対応する第２カラーパッチ第３領域画像３１３ａに汚れが発生しない。
【００５５】
また、図３Ａ−（ｂ）に示すように、印刷物の第１カラーパッチ画像３００ａにおいて、版面上に形成される第１カラーパッチ第１領域３０１に対応する第１カラーパッチ第１領域画像３０１ａ、および版面上に形成される第１カラーパッチ第２領域３０２に対応する第１カラーパッチ第２領域画像３０２ａに汚れが発生せず、かつ版面上に形成される第１カラーパッチ第３領域３０３に対応する第１カラーパッチ第３領域画像３０３ａに汚れが発生し、さらに、印刷物の第２カラーパッチ画像３１０ａにおいて、版面上に形成される第２カラーパッチ第１領域３１１に対応する第２カラーパッチ第１領域画像３１１ａ、および版面上に形成される第２カラーパッチ第２領域３１２に対応する第２カラーパッチ第２領域画像３１２ａに汚れが発生せず、かつ版面上に形成される第２カラーパッチ第３領域３１３に対応する第２カラーパッチ第３領域画像３１３ａに汚れが発生するような場合でも、印刷時の湿し水供給量は適量である。
【００５６】
湿し水の供給量が過剰である場合には、図３Ｂ−（ｃ）に示すように、版面上に形成される第１カラーパッチ第１領域３０１、第１カラーパッチ第２領域３０２、第１カラーパッチ第３領域３０３、第２カラーパッチ第１領域３１１、第２カラーパッチ第２領域３１２および第２カラーパッチ第３領域３１３の全ての領域に対応するカラーパッチ画像部分に汚れが発生しない。
【００５７】
湿し水の供給量が不足している場合には、図３Ｃ−（ｄ）または図３Ｃ−（ｅ）に示すように、版面上に形成される第１カラーパッチ第１領域３０１に対応する第１カラーパッチ第１領域画像３０１ａ、第１カラーパッチ第２領域３０２に対応する第１カラーパッチ第２領域画像３０２ａ、第２カラーパッチ第１領域３１１に対応する第２カラーパッチ第１領域画像３１１ａ、第２カラーパッチ第２領域３１２に対応する第２カラーパッチ第２領域画像３１２ａの少なくともいずれか１つの領域画像部分に汚れが発生する。
【００５８】
したがって、本発明のオフセット印刷方法では、印刷物の第１カラーパッチ画像３００ａにおいて、オフセット印刷版１００の版面上に形成される第１カラーパッチ第１領域３０１に対応する第１カラーパッチ第１領域画像３０１ａ、および版面上に形成される第１カラーパッチ第２領域３０２に対応する第１カラーパッチ第２領域画像３０２ａに汚れが発生せず、かつ版面上に形成される第１カラーパッチ第３領域３０３に対応する第１カラーパッチ第３領域画像３０３ａに汚れが発生し、さらに、印刷物の第２カラーパッチ画像３１０ａにおいて、版面上に形成される第２カラーパッチ第１領域３１１に対応する第２カラーパッチ第１領域画像３１１ａ、版面上に形成される第２カラーパッチ第２領域３１２に対応する第２カラーパッチ第２領域画像３１２ａ、および版面上に形成される第２カラーパッチ第３領域３１３に対応する第２カラーパッチ第３領域画像３１３ａに汚れが発生しないように、印刷時の湿し水供給量を決定する。
【００５９】
また、印刷物の第１カラーパッチ画像３００ａにおいて、版面上に形成される第１カラーパッチ第１領域３０１に対応する第１カラーパッチ第１領域画像３０１ａ、および版面上に形成される第１カラーパッチ第２領域３０２に対応する第１カラーパッチ第２領域画像３０２ａに汚れが発生せず、かつ版面上に形成される第１カラーパッチ第３領域３０３に対応する第１カラーパッチ第３領域画像３０３ａに汚れが発生し、さらに、印刷物の第２カラーパッチ画像３１０ａにおいて、版面上に形成される第２カラーパッチ第１領域３１１に対応する第２カラーパッチ第１領域画像３１１ａ、および版面上に形成される第２カラーパッチ第２領域３１２に対応する第２カラーパッチ第２領域画像３１２ａに汚れが発生せず、かつ版面上に形成される第２カラーパッチ第３領域３１３に対応する第２カラーパッチ第３領域画像３１３ａに汚れが発生するように、印刷時の湿し水供給量を決定してもよい。
【００６０】
そして、本発明のオフセット印刷方法では、前述のようにして決定した供給量で湿し水を供給して、印刷を行う。
【００６１】
以上のようにして、印刷時の湿し水供給量を決定するので、オペレータの熟練された技能を必要とせず、誰にでも簡単に適正な湿し水供給量の調整を行うことができる。したがって、画像に汚れが発生するのが抑制されて良好な品質の画像を有する印刷物を、優れた印刷生産性で、簡単に得ることができる。
【００６２】
（実施例）
以下に実施例をあげて本発明をさらに詳細に説明するが、本発明はこの実施例のみに限定されるものではない。
【００６３】
＜オフセット印刷版１００の作製＞
印刷ＣＴＰ原版（商品名：ＨＰ−Ｆ、富士フィルム株式会社製）を用いて、版面上に、メイン図柄（画線部２１０）として印刷品質管理パターン（サカタインクス株式会社製）、第１カラーパッチ３００および第２カラーパッチ３１０が形成されるように、近赤外線半導体レーザーを搭載した露光機（商品名：ＰｌａｔｅＲｉｔｅ  ８８００Ｓ、大日本スクリーン株式会社製）によって、画像の露光を行った。
【００６４】
次いで、現像液（商品名：ＤＴ−２、富士フィルム株式会社製）の１：９９の希釈溶液を用いて自動現像機（商品名：ＬＰ−１３１０Ｈ−ＩＩ、富士フィルム株式会社製）で現像、水洗いした後、乾燥させ、本発明のオフセット印刷版１００を得た。
【００６５】
＜印刷条件＞
印刷機：平版印刷機  三菱ダイヤ  １Ｅ−４（湿し水供給機構；ダイヤマチック、三菱重工業株式会社製）
印刷用インキ：ダイヤトーン  エコピュアＳＯＹ  ＨＰ  Ｊ（サカタインクス株式会社製）
湿し水：サイファ  ＡＳ３（サカタインクス株式会社製）
印刷用紙：オーロラＬ（日本製紙株式会社製）
印刷スピード：  ８０００枚／時
温度／湿度：  ２５℃／４０％
【００６６】
＜印刷時の湿し水供給量の調整＞
オフセット印刷版１００の版面上に形成される第１カラーパッチ第１領域３０１および第１カラーパッチ第２領域３０２に対応するカラーパッチ画像部分に汚れが発生せず、かつ第１カラーパッチ第３領域３０３に対応するカラーパッチ画像部分に汚れが発生し、さらに、第２カラーパッチ第１領域３１１および第２カラーパッチ第２領域３１２に対応するカラーパッチ画像部分に汚れが発生せず、かつ第２カラーパッチ第３領域３１３に対応するカラーパッチ画像部分に汚れが発生する、または汚れが発生しないように、印刷時の湿し水供給量を調整した。
【００６７】
＜印刷テスト結果＞
得られた印刷物は、メイン図柄である印刷品質管理パターン画像に、汚れが発生するのが抑制されて良好な品質の画像を有するものであった。
【図面の簡単な説明】
【００６８】
【図１】本発明の第１実施形態であるオフセット印刷版１の構成を示す図である。
【図２】本発明の第２実施形態であるオフセット印刷版１００の構成を示す図である。
【図３Ａ】本発明の第２実施形態であるオフセット印刷版１００を用いて、適正な湿し水供給量で印刷するオフセット印刷方法について説明する図である。
【図３Ｂ】本発明の第２実施形態であるオフセット印刷版１００を用いて、適正な湿し水供給量で印刷するオフセット印刷方法について説明する図である。
【図３Ｃ】本発明の第２実施形態であるオフセット印刷版１００を用いて、適正な湿し水供給量で印刷するオフセット印刷方法について説明する図である。
【符号の説明】
【００６９】
１，１００  オフセット印刷版
２，２００  画像部
３，３００  第１カラーパッチ
２１，２１０  画線部
２２，２２０  非画線部
３１，３０１  第１カラーパッチ第１領域
３２，３０２  第１カラーパッチ第２領域
３３，３０３  第１カラーパッチ第３領域
３１０  第２カラーパッチ
３１１  第２カラーパッチ第１領域
３１２  第２カラーパッチ第２領域
３１３  第２カラーパッチ第３領域
【図１】
2010069804.tif 000003
【図２】
2010069804.tif 000004
【図３Ａ】
2010069804.tif 000005
【図３Ｂ】
2010069804.tif 000006
【図３Ｃ】
2010069804.tif 000007